(57)【要約】【課題】充電機能を有するカバーに格納された携帯端末において、充電可能な所定の向きから反転させた向きに格納された場合においても、充電が可能になる。【解決手段】アダプタ（２）は、カバー（３）が備えている充電用機器の出力端子であるカバー端子（３２）と接続可能なカバー用端子（２１）とを備え、携帯端末（１）の充電用端子が配された側面（Ｐ１）に装着された状態において、カバー用端子は上記側面（Ｐ１）の中央に位置する。【選択図】図２
2016116375.tif 000002
【特許請求の範囲】
【請求項１】
携帯端末に装着される充電機能を有するカバーと、当該携帯端末とを電気的に接続するアダプタであって、
上記携帯端末の充電用端子と接続可能な第１端子と、
上記カバーが備える充電用機器の出力端子と接続可能な少なくとも１つの第２端子とを備え、
上記携帯端末の、上記充電用端子が配された側面に上記アダプタが装着された状態において、上記第１端子は上記充電用端子と接続され、上記第２端子の少なくとも１つは、上記側面の中央に位置することを特徴とするアダプタ。
【請求項２】
上記第２端子の形状は、当該第２端子の中央を通り、かつ当該第２端子が配された側面に垂直な直線を回転軸として１８０度回転したときに、回転対称となる形状であることを特徴とする請求項１に記載のアダプタ。
【請求項３】
上記携帯端末と機械的に接続して、当該携帯端末に上記アダプタを固定する固定部材を備えていることを特徴とする請求項１または２に記載のアダプタ。
【請求項４】
請求項１から３のいずれか１項に記載のアダプタと電気的に接続された携帯端末に装着される、充電用機器を有するカバーであって、
上記充電用機器は、上記アダプタの上記第２端子と接続可能な上記出力端子を備え、
上記アダプタが装着された上記携帯端末に、上記カバーが装着された状態において、上記出力端子は、上記携帯端末の、上記充電用端子が配された側面の中央に位置することを特徴とするカバー。
【請求項５】
上記出力端子の形状は、上記第２端子を嵌合可能な形状であることを特徴とする請求項４に記載のカバー。
【発明の詳細な説明】
【技術分野】
【０００１】
本発明は、携帯端末のアダプタおよびカバーに関する。
【背景技術】
【０００２】
携帯端末を充電することが可能な携帯端末のカバーが従来技術として知られている。例えば、特許文献１には、使い勝手が良く、コネクタへの負荷を軽減できる携帯充電器が開示されている。
【０００３】
詳細には、携帯充電器は、本体ケースにその裏面に露出して取付けられた太陽電池と、この電池で充電される二次電池と、本体ケースに着脱される携帯電話に二次電池の電力を供給するコネクタとを備える。
【先行技術文献】
【特許文献】
【０００４】
【特許文献１】特開２０１２−６０７１７公報（２０１２年３月２２日公開）
【発明の概要】
【発明が解決しようとする課題】
【０００５】
しかしながら、上述のような従来技術は携帯端末の画面がケースの外部に曝されるように（表向きに）ケースに収納する使用法が前提であり、ケースによる画面の保護は考慮されていない。また、充電器の電力を供給するコネクタは、携帯端末の画面を表向きにケースに収納した場合に携帯電話のコネクタと接続できる位置に配置されている。
【０００６】
すなわち、従来技術における携帯端末のカバーは、携帯端末を充電できるように格納しようとすると、携帯端末を所定の向きに格納しなければならない。したがって、従来技術においては、携帯端末を使用していない場合に、ディスプレイを保護しながら充電し、かつ、携帯端末の使用時にディスプレイを閲覧可能としながら充電することができない。
【０００７】
本発明は、上記の問題点に鑑みてなされたものであり、その目的は、充電機能を有するカバーに格納された携帯端末において、充電可能な所定の向きから反転させた向きに格納された場合においても、携帯端末の充電が可能になる携帯端末のアダプタを提供することである。
【課題を解決するための手段】
【０００８】
上記の課題を解決するために、本発明の一態様に係るアダプタは、携帯端末に装着される充電機能を有するカバーと、当該携帯端末とを電気的に接続するアダプタであって、上記携帯端末の充電用端子と接続可能な第１端子と、上記カバーが備える充電用機器の出力端子と接続可能な少なくとも１つの第２端子とを備え、上記携帯端末の、上記充電用端子が配された側面に上記アダプタが装着された状態において、上記第１端子は上記充電用端子と接続され、上記第２端子の少なくとも１つは、上記側面の中央に位置する。
【発明の効果】
【０００９】
本発明の一態様によれば、携帯端末を所定の位置から反転させた場合においても、第２端子を充電用機器の出力端子に接続することができ、充電が可能となる。
【図面の簡単な説明】
【００１０】
【図１】実施形態１に係るアダプタの概略的な構成を示す図である。（ａ）は、携帯端末に装着された状態のアダプタを示す図である。（ｂ）は、（ａ）に示す携帯端末を反転させた状態を示す図である。
【図２】実施形態１に係る充電機能を有するカバーを示す図である。（ａ）は、携帯端末が格納される前のカバーを示す図である。（ｂ）は、（ａ）に示すカバーの反転させた状態を示す図である。（ｃ）は、携帯端末をカバーに格納するパターンを示す図である。（ｄ）は、携帯端末をカバーに格納する他のパターンを示す図である。
【図３】実施形態１に係るアダプタが装着されている携帯端末がカバーに格納されている場合の、各部材間の固定および電気的な接続の状態を示す図である。
【図４】実施形態１に係る蓋を備えているカバーを示す図である。（ａ）は、カバーから蓋が外れている状態を示す図である。（ｂ）は、カバーに蓋が装着されている状態を示す図である。
【図５】実施形態１に係る充電システムにおいて、カバーからアダプタが装着されている携帯端末を取り出す工程を示す図である。（ａ）は、アダプタが装着されている携帯端末がカバーに格納されている状態を示す図である。（ｂ）は、本実施形態に係る固定状態において携帯端末をカバーから取り出す工程を示す図である。（ｃ）は参考の形態において、携帯端末をカバーから取り出す工程を示す図である。
【図６】本実施形態１に係るアダプタのカバー用端子およびカバーのカバー端子（出力端子）の形状を示す図である。（ａ）は、アダプタのカバー用端子およびカバーのカバー端子の形状の一例を示す図である。（ｂ）は、アダプタのカバー用端子およびカバーのカバー端子の形状の他の例を示す図である。（ｃ）は、アダプタのカバー用端子およびカバーのカバー端子の形状のさらに他の例を示す図である。
【図７】本実施形態２に係るカバーの概略構成を示す図である。（ａ）は、アダプタが装着された携帯端末を、表向きに格納しているカバーを示している。（ｂ）は、（ａ）に示すカバーを反転させた状態を示す図である。（ｃ）は、本実施形態２の変形例に係るカバーの例を示す図である。
【図８】本実施形態３に係るアダプタを示す図である。（ａ）は、アダプタを装着した携帯端末をカバーに格納する工程を示す図である。（ｂ）は、携帯端末に装着されたアダプタを示す図である。
【図９】本実施形態４に係るアダプタを示す図である。（ａ）は、アダプタを装着した携帯端末をカバーに格納する工程を示す図である。（ｂ）は、アダプタを装着した携帯端末を示す図である。
【図１０】本実施形態１に係る充電システムの要部構成が備えている各端子を示す図である。（ａ）は、本実施形態１に係る充電システムの要部構成が備えている各端子の概要を示す図である。（ｂ）は、本実施形態１に係る携帯端末が備えている充電用端子の一例を示す図である。（ｃ）は、本実施形態に係るアダプタが備えている端末用端子の一例を示す図である。（ｄ）は、本実施形態１に係るアダプタが備えている端末用端子の他の例を示す図である。
【図１１】本実施形態５に係る充電システムの要部構成が備えている各端子を示す図である。（ａ）は、本実施形態に係る充電システムの要部構成が備えている各端子の概要を示す図である。（ｂ）は、本実施形態５に係る携帯端末が備えている充電用端子の一例を示す図である。（ｃ）は、本実施形態５に係るアダプタが備えている端末用端子の一例を示す図である。（ｄ）は、本実施形態に係るアダプタのカバー用端子およびカバーのカバー端子の形状の一例を示す図である。
【図１２】従来技術に係る携帯端末の充電用端子の位置、および、充電機能を有する携帯端末のカバーの端子の位置を示す図である。（ａ）は携帯端末が備えているディスプレイが図面において上方を向いた位置である（表向きの）場合の端子の位置を示す図である。（ｂ）は、（ａ）に示す携帯端末を反転させた場合の端子の位置を示す図である。（ｃ）は、携帯端末の充電用端子と接続可能であるカバーの端子の位置を示す図である。
【図１３】従来技術に係る携帯端末の端子の形状を示す図である。（ａ）は、携帯端末が備えているディスプレイが図面において上方を向いた位置である（表向きの）場合の端子の形状を示す図である。（ｂ）は、（ａ）に示す携帯端末を反転させた場合の端子の形状を示している。
【発明を実施するための形態】
【００１１】
〔参考の形態〕
以下、本発明の参考の形態に係る携帯端末１０１の充電システムついて、図１２および図１２を用いて詳細に説明する。
【００１２】
参考の形態について図１２および図１２を用いて詳細に説明する。
【００１３】
図１２は、携帯端末１０１の充電用端子１１２の位置、および、充電機能を有する携帯端末のカバー１０３の端子１２２の位置を示す図である。
【００１４】
図１２の（ａ）は携帯端末１０１が備えているディスプレイ１０２が図面において上方を向いた位置である（表向き）場合の充電用端子１１２の位置を示しており、図１２の（ｂ）は、ディスプレイ１０２が図面の下方に向くように反転させた場合の充電用端子１１２の位置を示している。
【００１５】
図１２の（ａ）および（ｂ）に示すように、携帯端末１０１を反転させる前後の充電用端子１１２の位置関係は、充電用端子１１２を備えている携帯端末１０１の側面の中央に対して点対称の位置となる。
【００１６】
図１２の（ｃ）は、携帯端末１０１の充電用端子１１２と接続可能であるカバー１０３の端子１２２の位置を示す図である。
【００１７】
図１２の（ｃ）に示すように、携帯端末１０１が表向きに格納される場合、携帯端末１０１の充電用端子１１２と接続可能になるように端子１２２が配置されている。そのため、表向きの携帯端末１０１を反転させて格納した場合、充電用端子１１２と端子１２２との位置は対応しなくなり、充電用端子１１２と端子１２２とは接続ができなくなる。
【００１８】
次に、携帯端末１０１の充電用端子１１２の形状とカバー１０３の端子１２２の形状とについて説明する。
【００１９】
図１３は、携帯端末１０１の充電用端子１１２の形状を示す図である。図１３の（ａ）は、携帯端末１０１を表向きとした場合の充電用端子１１２の形状を示している。カバー１０３の端子１２２の形状は、携帯端末１０１が表向きである場合に接続できる形状に形成されている。
【００２０】
図１３の（ｂ）は、携帯端末１０１を裏向きとした場合の充電用端子１１２の形状を示している。カバー１０３の端子１２２の形状は、携帯端末１０１が表向きである場合に接続できる形状に形成されている。そのため、端子１２２の形状は、充電用端子１１２の反転した形状には対応できず、接続できない。
【００２１】
すなわち、参考の形態に係るカバー１０３は、携帯端末１０１を充電できるように格納しようとすると、携帯端末１０１を所定の向きに格納しなければならない。したがって、携帯端末１０１を使用していない場合に、ディスプレイを保護しながら充電し、かつ、携帯端末１０１の使用時にディスプレイ１０２を閲覧可能としながら充電することができない。
【００２２】
〔実施形態１〕
以下、本実施形態に係る携帯端末１の充電システムついて、図１から図５を用いて詳細に説明する。
【００２３】
本実施形態に係る携帯端末の充電システムは、携帯端末１、アダプタ２および充電機能付きのカバー３から構成されている。
【００２４】
（携帯端末１）
本実施形態に係る携帯端末１は、充電式電池をバッテリーとして備えている電子機器であればよく、例えば、ノート型またはタブレット型コンピュータ、スマートフォン、携帯ゲーム機、電子書籍端末、電卓、電子辞書、音楽プレイヤー、ポータブルナビ、モバイルルーター、表示部が付いているリモコン等に適用することができる。
【００２５】
携帯端末１は充電用端子１２、制御回路１５および内蔵バッテリー１６を備えている（図３を参照）。
【００２６】
充電用端子１２は、アダプタ２の端末用端子２２と接続する。携帯端末１内において、充電用端子１２は、制御回路１５を介して内蔵バッテリー１６に接続している。
【００２７】
内蔵バッテリー１６は、携帯端末１を構成する各種動作部に供給される電力の電力供給源である。
【００２８】
制御回路１５は、携帯端末１の各種の機能を制御するとともに、内蔵バッテリー１６の蓄電量を監視し、内蔵バッテリー１６の充放電を制御する回路である。
【００２９】
（アダプタ２）
本実施形態に係るアダプタ２の構成について図１を用いて説明する。図１はアダプタ２の概略的な構成を示す図である。図１の（ａ）は、携帯端末１に装着された状態のアダプタ２を示す図である。図１の（ａ）においては、携帯端末１は、ディスプレイ１１を図面における上方向に向けた状態である。
【００３０】
アダプタ２は、携帯端末１に装着される充電機能を有するカバー３と、携帯端末１とを電気的に接続する。
【００３１】
図１の（ａ）に示すように、アダプタ２は端末用端子（第１端子）２２およびカバー用端子（第２端子）２１とを備えている。
【００３２】
端末用端子２２は、携帯端末１の充電用端子１２と接続する（図５の（ａ）を参照）。詳細には、携帯端末１の充電用端子１２が配された側面Ｐ１にアダプタ２が装着された状態において、端末用端子２２は携帯端末１の充電用端子１２と接続する。充電用端子１２と端末用端子２２とは接続可能な形状となっている。
【００３３】
カバー用端子２１は、カバー３が備えている蓄電池３１（充電用機器）の出力端子であるカバー端子３２と接続する。携帯端末１の充電用端子１２が配された側面Ｐ１にアダプタ２が装着された状態において、カバー用端子２１は、側面Ｐ１の中央に位置する。詳細に説明すると、図１の（ａ）に示すように、カバー用端子２１は、携帯端末１の側面Ｐ１の長手方向（図１の（ａ）のｘ軸方向）に延伸する幅Ｗ１の中心に位置している。さらに、カバー用端子２１は、携帯端末１の側面Ｐ１の短手方向（図１の（ａ）のｙ軸方向）に延伸する高さＨ１の中心に位置している。
【００３４】
次に、図１の（ａ）に示すアダプタ２を装着した携帯端末１のディスプレイ１１が下方向を向くように反転（図１に示すｚ軸を中心軸として反転）させた場合のアダプタ２の位置について図１の（ｂ）を用いて説明する。
【００３５】
図１の（ｂ）は、図１の（ａ）に示す携帯端末１を反転させた場合のアダプタ２を示す図である。図１の（ａ）および（ｂ）に示すように、カバー用端子２１は側面Ｐ１の中央にあり、携帯端末１が反転しても、カバー用端子２１の位置は変わらない。
【００３６】
（カバー３）
次に本発明に係る充電機能を有するカバー３について図２を用いて説明する。図２は本実施形態に係る充電機能を有するカバー３を示す図である。
【００３７】
図２の（ａ）は、携帯端末１が格納される前のカバー３を示す図である。
【００３８】
図２の（ａ）に示すように、カバー３はアダプタ２を装着した携帯端末１を格納する空間Ｓ１を形成している。図２の（ａ）に示した、ＡＡにおける空間Ｓ１の断面は、幅Ｗ２を有し、さらに、高さＨ２を有する。例えば、空間Ｓ１の幅Ｗ２と携帯端末１の側面Ｐ１の幅Ｗ１とは対応している。また、空間Ｓ１の高さＨ２と携帯端末１の側面Ｐ１の高さＨ１は対応している。ここでいう対応とは、携帯端末１がカバー３に適度に収まるような高さおよび幅を意味している。
【００３９】
カバー３は、図２の（ａ）に示すように開放された面（図２の（ａ）における上方向の面）を含んでいる。以降、当該開放された面を上面とよぶ。
【００４０】
また、カバー３においては、上面とは別に、もう一つの開放された面（図２の（ａ）における奥方向の面）を備えている。当該開放された面から携帯端末を挿入することができるようになっている。以降、この開放面を挿入面とよぶ。
【００４１】
カバー３は、蓄電池３１（充電用機器）を備え、この蓄電池３１は、カバー端子３２を備えている。カバー端子３２は、アダプタ２のカバー用端子２１と接続できる。なお、カバー３は、充電用機器として、コンセントからの交流電力を直流電力に変換する変換器を備えていてもよい。あるいは、パソコンなどから供給される直流電力に接続できる外部接続端子３９（図１０、図１１参照）を備えていてもよい。上記の構成によれば、コンセント、パソコン（ＵＳＢ端子等を介して）等の外部電力を用いてカバー３の蓄電池３１を充電することができる。
【００４２】
図２の（ａ）に示すように、アダプタ２が装着された携帯端末１がカバー３に格納された場合、カバー端子３２は、携帯端末１の充電用端子１２が配された側面Ｐ１の中央に位置する。
【００４３】
すなわち、アダプタ２が装着された携帯端末１に、カバー３が装着された状態において、カバー端子３２は、携帯端末１の、充電用端子１２が配された側面Ｐ１の中央に位置する。
【００４４】
図２の（ｂ）は、図２の（ａ）に示すカバー３を、図２の（ａ）に示すＺ２を回転軸として、反転させた図である。図２の（ｂ）に示すように、カバー３は蓄電池３１を備えている。蓄電池３１から、アダプタ２を介し携帯端末１の内蔵バッテリー１６に電力が供給され、内蔵バッテリー１６は充電される。
【００４５】
次に携帯端末１のカバー３への格納パターンについて説明する。
【００４６】
図２の（ｃ）は、携帯端末１のディスプレイ１１を備えている面がカバー３の上面に重なるように（表向きに）、携帯端末１をカバー３に格納するパターンを示す図である。
【００４７】
また、図２の（ｄ）は、携帯端末１のディスプレイ１１を備えている面に対向する面がカバー３の上面に重なるように（裏向きに）、携帯端末１をカバー３に格納するパターンを示す図である。図１の（ａ）および（ｂ）に示しているように、携帯端末１を表向きから裏向きに反転してもアダプタ２のカバー用端子２１の位置は変わらない。したがって、図２の（ｃ）および（ｄ）のどちらの格納パターンにおいても、アダプタ２のカバー用端子２１の位置は変わらない。そのため、どちらの格納パターンにおいても、カバー用端子２１とカバー３のカバー端子３２とが接続することができ、携帯端末１の充電が可能となる。
【００４８】
図２の（ｃ）に示す格納パターンは、例えば、ユーザが携帯端末１を使用し、ディスプレイを閲覧可能としながら充電する場合に適用することができる。
【００４９】
また、図２の（ｄ）に示す格納パターンは、例えば、ユーザが携帯端末を使用せず、ディスプレイを保護しながら充電する場合に適用することができる。
【００５０】
次に、アダプタ２が装着されている携帯端末１がカバー３に格納されている時の、携帯端末１、アダプタ２およびカバー３間の固定の状態について図３から図５を用いて説明する。
【００５１】
（携帯端末１、アダプタ２およびカバー３間の固定）
図３は、アダプタ２が装着されている携帯端末１がカバー３に格納されている場合の、携帯端末１、アダプタ２およびカバー３間の各固定および電気的な接続の状態を示す図である。
【００５２】
初めに、各部材間の固定の状態について説明する。図３に示すように、携帯端末１はアダプタ２と固定されており、また、携帯端末１はカバー３と固定されている。
【００５３】
携帯端末１とアダプタ２との固定は、例えば、携帯端末１の充電用端子１２とアダプタ２の端末用端子２２とによって機械的に固定されてもよい。例えば、micro-USBの端子に用いられる留め金（固定部材）を用いることで、機械的接続にて２点で固定できる。また、その他の接続可能な固定部材を用いてアダプタ２と携帯端末１とを、機械的に固定しても良い。
【００５４】
携帯端末１とカバー３との固定は、例えば、カバー３の形状が携帯端末１を保持する形状に形成されていることによってなされてもよい。例えば、アダプタ２を装着した携帯端末１をカバー３内に格納する工程において、携帯端末１は、カバー端子３２を備える面の方向にスライドして格納できるように固定される。
【００５５】
カバー３は、カバー３の挿入面である開放面を閉鎖する蓋３ａやバンドなどを備えている構成であってもよい。
【００５６】
蓋３ａおよびバンドは、アダプタ２が装着された携帯端末１に、カバー３が装着された状態において、カバー３から携帯端末１が外れること（または、落下すること）を防止する落下防止部材として適用されてもよい。
【００５７】
図４はカバー３が挿入面を閉鎖するための蓋３ａを備えている場合の構成を示す図である。図４の（ａ）は、カバー３から蓋３ａが外れている状態を示しており、図４の（ｂ）は、カバー３に蓋３ａが装着されている状態を示している。
【００５８】
次に、アダプタ２とカバー３との固定関係について説明する。図３に示すように、アダプタ２とカバー３とについては機械的には固定されていない。アダプタ２とカバー３とが機械的に固定されていない構成の効果について、図５を用いて説明する。図５は、カバー３からアダプタ２が装着されている携帯端末１を取り出す工程を示す図である。図５の（ａ）は、アダプタ２が装着されている携帯端末１がカバー３に格納されている状態を示す図である。
【００５９】
図５の（ｂ）は、携帯端末１、アダプタ２およびカバー３間の固定が本実施形態に係る固定である場合において、携帯端末１をカバー３から取り出す工程を示す図である。図５の（ｂ）に示すように、本実施形態に係る固定状態においては、携帯端末１をカバー３から取り出す工程において携帯端末１とアダプタ２との接続が維持されている。また、アダプタ２とカバー３とについては固定されていない。そのため、携帯端末１の取出しに伴いアダプタ２を取り出すことができる。
【００６０】
図５の（ｃ）は、携帯端末１ｆ、アダプタ２ｆおよびカバー３ｆ間の固定が本実施形態に係る固定ではない場合における（参考の形態における）、携帯端末１ｆをカバー３ｆから取り出す工程を示す図である。この場合においては、本実施形態と異なり、アダプタ２ｆとカバー３ｆとが固定されている。図５の（ｃ）に示すように、アダプタ２ｆとカバー３ｆとが固定される構成であるため、携帯端末１ｆの取出しに伴い携帯端末１ｆとアダプタ２ｆとの接続は維持されない。そのため、アダプタ２ｆとカバー３ｆとの接続が維持されてしまう。すなわち、カバー３ｆから携帯端末１ｆを取り出す時に、アダプタ２ｆがカバー３ｆ内に残ってしまう。よって、カバー３ｆから携帯端末１ｆを取り出した後、携帯端末１ｆを裏側にし、カバー３ｆに格納すると次の問題が生じる。すなわち、携帯端末１ｆの充電用端子１２ｆの位置とカバー３ｆに固定されているアダプタ２ｆの端末用端子２２ｆの位置とは対応せずに、充電ができない。
【００６１】
（電気的接続）
次に、本実施形態に係る充電システムの電気的接続について、図３を用いて説明する。図３に示すように、カバー３内において、蓄電池３１は、制御回路３５を介してカバー端子（出力端子）３２に接続している。カバー端子３２は、アダプタ２のカバー用端子（第２端子）２１と接続する。アダプタ２内においてカバー用端子２１と端末用端子（第１端子）２２とが接続している。端末用端子２２は、携帯端末１の充電用端子１２と接続する。携帯端末１内において、充電端子（充電用端子）１２は、制御回路１５を介して内蔵バッテリー１６に接続している。
【００６２】
カバー３の制御回路３５は、カバー端子３２および蓄電池３１と電気的に接続されており、蓄電池３１の充電および放電を制御する回路である。
【００６３】
（充電用端子１２、端末用端子２２および外部接続端子３９の構成）
次に、本実施形態に係る充電用端子１２、端末用端子２２および外部接続端子３９について、図１０を用いて説明する。
【００６４】
図１０の（ａ）は、本実施形態に係る充電システムの要部構成が備えている各端子を示す図である。
【００６５】
図１０の（ａ）に示すように、携帯端末１は充電用端子１２を備えている。アダプタ２は端末用端子２２およびカバー用端子２１を備えている。カバー３は、カバー端子３２および外部接続端子３９を備えている。
【００６６】
図１０の（ｂ）は、本実施形態に係る携帯端末１が備えている充電用端子１２を示す図である。充電用端子１２は、アダプタ２を介して外部機器から電力を受け取るために用いられるピン（電極）である充電ピンＰｎ１およびＰｎ４と、通信データの送受信のために用いられるピンである通信ピンＰｎ２およびＰｎ３を備えている。
【００６７】
図１０の（ｃ）は、本実施形態に係るアダプタ２が備えている端末用端子２２の一例を示す図である。端末用端子２２は電力を携帯端末１に供給するために用いられるピン（電極）である充電ピンＰｎ１ａおよびＰｎ４ａを備えている。充電ピンＰｎ１ａおよびＰｎ４ａは、充電用端子１２の充電ピンＰｎ１およびＰｎ４に、それぞれ接続される。充電ピンＰｎ１ａおよびＰｎ４ａのそれぞれは、アダプタ２内にてカバー用端子２１のマイナス電極またはプラス電極に電気的に接続されている。
【００６８】
また、端末用端子２２はピンＰｎ２ａおよびピンＰｎ３ａを備えている。ピンＰｎ２ａおよびピンＰｎ３ａは、充電用端子１２の通信ピンＰｎ２およびＰｎ３に、それぞれ接続される。図１０の（ｃ）に示すようにピンＰｎ２ａおよびピンＰｎ３ａはアダプタ２内にて短絡している。なお、ピンＰｎ２ａおよびピンＰｎ３ａはアダプタ２内にて直接短絡してもよいし、抵抗を介して短絡してもよい。
【００６９】
なお、本実施形態においては充電用端子１２の通信ピンおよび充電用端子１２の該通信ピンに接続される端末用端子２２のピンの数を２つとして例示したが、充電用端子１２の通信ピンおよび充電用端子１２の該通信ピンは嵌合可能なように同数備えていればよい。
【００７０】
図１０の（ｄ）は、本実施形態に係るアダプタ２が備えている端末用端子２２の他の例を示す図である。端末用端子２２は電力を携帯端末１に供給するために用いるピン（電極）である充電ピンＰｎ１ｂおよびＰｎ４ｂを備えている。充電ピンＰｎ１ｂおよびＰｎ４ｂは、充電用端子１２の充電ピンＰｎ１およびＰｎ４に、それぞれ接続される。充電ピンＰｎ１ｂおよびＰｎ４ｂのそれぞれは、アダプタ２内にてカバー用端子２１のマイナス電極またはプラス電極に電気的に接続されている。
【００７１】
また、端末用端子２２はピンＰｎ２ｂおよびピンＰｎ３ｂを備えている。ピンＰｎ２ｂおよびピンＰｎ３ｂは、充電用端子１２の通信ピンＰｎ２およびＰｎ３に、それぞれ接続される。図１０の（ｄ）に示すようにピンＰｎ２ｂおよびピンＰｎ３ｂは、アダプタ２内にて接続先を有していない。
【００７２】
カバー３が備えている外部接続端子３９は、上述したように、コンセント、パソコン（ＵＳＢ端子等を介して）等の電力を供給する外部機器に接続し、カバー３の蓄電池３１を充電するための端子である。例えば、外部接続端子３９は、外部機器と接続可能で、かつ電力を蓄電池３１に供給するために用いるピン（電極）である充電ピンを２つ備えていてもよい。
【００７３】
当該充電ピンは、例えば、カバー３の制御回路３５（図３を参照）に接続している構成であってもよい。
【００７４】
（カバー用端子２１およびカバー端子３２の構成）
次にアダプタ２のカバー用端子２１およびカバー３のカバー端子３２の構成について図６を用いて説明する。図６は、本実施形態に係るアダプタ２のカバー用端子２１およびカバー３のカバー端子３２の形状を示す図である。
【００７５】
図６の（ａ）は、本実施形態に係るアダプタ２のカバー用端子２１およびカバー３のカバー端子３２の形状の一例を示す図である。図６の（ａ）の左図には携帯端末１が表向きの場合のカバー用端子２１が示されており、図６の（ａ）の右図には携帯端末１が裏向きの場合のカバー用端子２１が示されている。
【００７６】
図６の（ａ）に示すように、カバー用端子２１およびカバー端子３２は、それぞれ口径の異なる２つの円筒形の電極から成る。口径の異なる２つの円筒形の電極は同じ中心軸を有する。円筒形の上面または底面は開放されている。例えば、図６の（ａ）に示すように、内側の電極がプラス電極（＋電極）で、外側の電極がマイナス電極（−電極）となる。なお、カバー用端子２１およびカバー端子３２の接続時に、口径の異なる２つの円筒形の電極の中心は、図１に示す携帯端末１の側面Ｐ１の中央に位置する。すなわち、カバー用端子２１の少なくとも１つは、携帯端末１の側面Ｐ１の中央に位置する。
【００７７】
カバー端子３２から見た場合、カバー用端子２１は２重の円形の構造となる。そのため、携帯端末１が表向きから裏向きに反転しても、当該反転の前後において、カバー端子３２から見た場合のカバー用端子２１の形状は変わらない。
【００７８】
カバー用端子２１の形状は、カバー用端子２１の中央を通り、かつ当該カバー用端子２１が配された側面に垂直な直線を回転軸として１８０度回転したときに、回転対称となる形状であればよい。当該形状によれば、携帯端末１が表向きの場合および裏向き場合の両方の場合において、カバー用端子２１とカバー端子３２は接続できる。
【００７９】
上述したカバー端子３２の形状は、カバー用端子２１に嵌合可能な形状である。
【００８０】
次に、本実施形態に係るアダプタ２のカバー用端子２１およびカバー３のカバー端子３２の他の形状について図６の（ｂ）を用いて説明する。
【００８１】
図６の（ｂ）は、アダプタ２のカバー用端子２１およびカバー３のカバー端子３２の形状の他の例を示す図である。図６の（ｂ）の左図には携帯端末１が表向きの場合のカバー用端子２１が示されており、図６の（ｂ）の右図には携帯端末１が裏向きの場合のカバー用端子２１が示されている。
【００８２】
図６の（ｂ）に示すように、アダプタ２のカバー用端子２１およびカバー３のカバー端子３２は、等間隔に当直線上に配置された３つの直方体の構造体から構成されている。なお、カバー用端子２１およびカバー端子３２の接続時に、真ん中の構造体は図１に示す携帯端末１の側面Ｐ１の中央に位置する。すなわち、カバー用端子２１の少なくとも１つは、携帯端末１の側面Ｐ１の中央に位置する。
【００８３】
また、カバー用端子２１の形状は、当該カバー用端子２１の中央を通り、かつ当該カバー用端子２１が配された側面に垂直な直線を回転軸として１８０度回転したときに、回転対称となる形状であるといえる。
【００８４】
図６の（ｂ）に示すように、カバー端子３２においては、両端の構造体にマイナス電極が配されており、真ん中の構造体にプラス電極が配されている。
【００８５】
カバー用端子２１においては、両端の何れか一方の構造体にマイナス電極が配されている。他方の端の構造体には電極が配されておらず、対応するカバー端子３２の構造体が収まるように成形されている。また、真ん中の構造体にはプラス電極が配されている。
【００８６】
なお、カバー端子３２においては、両端の構造体にプラス電極が配されており、真ん中の構造体にマイナス電極が配されていてもよい。この場合、カバー用端子２１においては、両端の何れか一方の構造体にプラス電極が配されており、真ん中の構造体にはマイナス電極が配されている。
【００８７】
例えば、図６の（ａ）に示すカバー用端子２１およびカバー３のカバー端子３２の形状においては、カバー端子３２をカバー用端子２１に挿し込むことにより、カバー端子３２とカバー用端子２１とを接続する構成である。カバー端子３２およびカバー用端子２１は挿し込むことが可能な深さ（図６の（ａ）において上下に延伸する方向）を備えている形状である。
【００８８】
一方で、図６の（ｂ）に示すカバー用端子２１およびカバー端子３２は、カバー端子３２をカバー用端子２１に挿し込む形状ではない。そのため、図６の（ａ）に示すカバー用端子２１およびカバー３の形状よりも深さを必要としない形状である。したがって、図６の（ａ）に示すカバー用端子２１を備えているアダプタ２に比べ、アダプタ２を小型化することができる。
【００８９】
なお、図６の（ａ）および（ｂ）におけるカバー用端子２１およびカバー端子３２の形状は、カバー用端子２１を凹形状（メス）とし、カバー端子３２を凸形状（オス）として例示した。しかし、これに限定されず、カバー用端子２１を凸形状とし、カバー端子３２を凹形状としてもよい。
【００９０】
ここで、カバー用端子２１およびカバー端子３２のその他の形状について、図６の（ｃ）を用いて例示する。図６の（ｃ）は、カバー用端子２１が配されたアダプタ２の側面におけるカバー用端子２１の断面およびカバー端子３２が配されたカバー３の側面におけるカバー端子３２の断面を示す図である。
【００９１】
図６の（ｃ）に示すように、カバー用端子２１は、内側の電極２１ａおよび外側の電極２１ｂを備えている。また、カバー端子３２は、内側の電極３２ａおよび外側の電極３２ｂを備えている。
【００９２】
カバー用端子２１の内側の電極２１ｂの断面形状は三角形であり、外側の電極２１ａの断面形状は円形である。
【００９３】
一方で、カバー端子３２の内側の電極３２ｂの断面形状は、アダプタ２を装着した携帯端末１の所定の向きにおけるカバー用端子２１と接続が可能な形状であり、さらに、当該カバー用端子２１の中央を通り、かつ当該カバー用端子２１が配されたアダプタ２の側面に垂直な直線を回転軸として１８０度回転した携帯端末１のカバー用端子２１と接続が可能な形状である。
【００９４】
なお、上述したカバー用端子２１の内側の電極２１ｂの断面形状は特に三角形に限定されない。
【００９５】
すなわち、カバー端子３２の形状は、アダプタ２を装着した携帯端末１の所定の向きにおけるカバー用端子２１と接続が可能な形状であり、さらに、当該カバー用端子２１の中央を通り、かつ当該カバー用端子２１が配されたアダプタ２の側面に垂直な直線を回転軸として１８０度回転した携帯端末１のカバー用端子２１と接続が可能な形状であればよい。
【００９６】
〔実施形態２〕
本発明の他の実施形態について、図７に基づいて説明すれば、以下のとおりである。なお、説明の便宜上、前記実施形態にて説明した部材と同じ機能を有する部材については、同じ符号を付記し、その説明を省略する。
【００９７】
本実施形態に係る充電機能付きのカバー３ｂは、太陽電池を備えている。本実施形態に係るカバー３ｂについて図７を用いて説明する。
【００９８】
図７は、本実施形態に係るカバー３ｂの概略構成を示す図である。図７の（ａ）は、アダプタ２が装着された携帯端末１を、表向きに格納しているカバー３ｂを示している。図７の（ｂ）は、図７の（ａ）に示すカバー３ｂを反転させた図である。
【００９９】
図７の（ｂ）に示すように、カバー３ｂは、上面と対向する面の外側領域に太陽電池パネルを配した太陽電池３８を備えている。この太陽電池３８は、実施形態１における蓄電池３１と同様に、アダプタ２を介して携帯端末１の内蔵バッテリー１６に電力を供給する。
【０１００】
例えば、太陽電池３８から、常に、携帯端末１に電力が供給される構成であってもよい。
【０１０１】
上記の構成によれば、予めカバー３ｂの蓄電池３１を充電する必要がなくなる。
【０１０２】
また、本実施形態に係るカバー３ｂは太陽電池３８と蓄電池３１との両方を備えている構成であってもよい。
【０１０３】
例えば、太陽電池３８から供給される電力により蓄電池３１が所定の充電量まで充電されると、自動的に携帯端末１に電力を供給する構成としてもよい。
【０１０４】
また、太陽電池３８から供給される電力により蓄電池３１を充電し、ユーザの操作により携帯端末１への電力の供給を開始する構成としてもよい。この場合、蓄電池３１の携帯端末１への放電を開始させるためのスイッチ（ユーザが操作するためのスイッチ）を、カバー３ｂに設けてもよい。
【０１０５】
図７の（ｃ）は、本実施形態の変形例に係るカバー３ｂを示している。図７の（ｃ）に示すように、カバー３ｂは、上面の外側領域に太陽電池パネルを配した太陽電池３８を備えている。
【０１０６】
本実施形態においては、カバー３ｂの上面および上面に対向する面の外側領域に太陽電池３８の太陽電池パネルが配された構成について例示したが、太陽電池３８の太陽電池パネルが配される位置については、光を受光できる位置であればよく特に限定されない。
【０１０７】
〔実施形態３〕
本発明の他の実施形態について、図８に基づいて説明すれば、以下のとおりである。なお、説明の便宜上、前記実施形態にて説明した部材と同じ機能を有する部材については、同じ符号を付記し、その説明を省略する。
【０１０８】
上述した実施形態１では、側面Ｐ１に接するアダプタ２の側面の中央が、側面Ｐ１の中央になるように配置されている。本実施形態では、側面Ｐ１に接するアダプタ２の側面の中央が、側面Ｐ１に中央にこないように配置されている。
【０１０９】
図８は、本実施形態に係るアダプタ２ｂを示す図である。図８の（ａ）は、本実施形態に係るアダプタ２ｂを装着した携帯端末１をカバー３に格納する工程を示す図である。図８の（ｂ）は、本実施形態に係るアダプタ２ｂを装着した携帯端末１を示す図である。
【０１１０】
図８の（ａ）および（ｂ）に示すように、アダプタ２ｂは、携帯端末１に装着された状態において、携帯端末１の充電用端子１２の設置位置の近傍から携帯端末１の側面Ｐ１の中央の近傍までの領域に装着される。当該領域には充電用端子１２の設置位置および側面Ｐ１の中央が含まれている。
【０１１１】
アダプタ２が携帯端末１に装着された状態において、携帯端末１の側面Ｐ１と接するアダプタ２の側面の中央は、側面Ｐ１の中央と一致していない。
【０１１２】
また、アダプタ２ｂのカバー用端子２１は、携帯端末１の充電用端子１２が配された側面Ｐ１にアダプタ２ｂが装着された状態において、側面Ｐ１の中央に位置する。
【０１１３】
すなわち、アダプタ２ｂのカバー用端子２１は、カバー用端子２１が配されたアダプタ２ｂの側面の中央から離間した位置に配されている。
【０１１４】
上記の構成によれば、アダプタ２の形状の自由度を高めることができる。例えば、図８に示すように、アダプタ２の形状を携帯端末１の充電用端子１２の設置位置の近傍から携帯端末１の側面Ｐ１の中央の近傍までの領域に装着されるような形状とすることで、アダプタ２を小型化することができる。
【０１１５】
〔実施形態４〕
本発明の他の実施形態について、図９に基づいて説明すれば、以下のとおりである。なお、説明の便宜上、前記実施形態にて説明した部材と同じ機能を有する部材については、同じ符号を付記し、その説明を省略する。
【０１１６】
図９は、本実施形態に係るアダプタ２ｃを示す図である。図９の（ａ）は、本実施形態に係るアダプタ２ｃを装着した携帯端末１をカバー３に格納する工程を示す図である。図９の（ｂ）は、本実施形態に係るアダプタ２ｃを装着した携帯端末１を示す図である。
【０１１７】
図９の（ａ）および（ｂ）に示すように、充電用端子１２が配された、携帯端末１の側面Ｐ１の形状と、端末用端子２２が配された、アダプタ２ｃの側面の形状とは、互いに同じである。
【０１１８】
図９に示す例示においては、端末用端子２２が配されたアダプタ２ｃの側面におけるアダプタ２ｃの高さと幅とが、充電用端子１２が配された携帯端末１の側面Ｐ１の高さと幅とそれぞれ同じである。
【０１１９】
また、アダプタ２ｃのカバー用端子２１は、携帯端末１の充電用端子１２が配された側面Ｐ１にアダプタ２ｃが装着された状態において、携帯端末１の当該側面Ｐ１の中央に位置する。
【０１２０】
上記の構成によれば、携帯端末１とアダプタ２ｃとを接続した状態において接続面が一致する。したがって、携帯端末とアダプタ２ｃとを接続することにより凹凸の形状が生じることはない。よって、アダプタ２ｃを接続した携帯端末１をカバー３に収納する時に容易に収納することができる。
【０１２１】
アダプタ２ｃのカバー用端子２１の構成においては、実施形態１で記載した構成と同様であるためここでの説明は省略する。
【０１２２】
〔実施形態５〕
本発明の他の実施形態について、図１１に基づいて説明すれば、以下のとおりである。なお、説明の便宜上、前記実施形態にて説明した部材と同じ機能を有する部材については、同じ符号を付記し、その説明を省略する。
【０１２３】
本実施形態に係る充電システムにおいては、携帯端末１は、アダプタ２およびカバー３を介して外部機器とデータ通信が可能な構成である。
【０１２４】
（充電用端子１２、端末用端子２２および外部接続端子３９の構成）
本実施形態に係る充電用端子１２、端末用端子２２および外部接続端子３９について、図１１を用いて説明する。
【０１２５】
図１１の（ａ）は、本実施形態に係る充電システムの要部構成が備えている各端子の概要を示す図である。
【０１２６】
図１１の（ａ）に示すように、携帯端末１は充電用端子１２を備えている。アダプタ２は端末用端子２２およびカバー用端子２１を備えている。カバー３は、カバー端子３２および外部接続端子３９を備えている。
【０１２７】
図１１の（ｂ）は、本実施形態に係る携帯端末１が備えている充電用端子１２を示す図である。充電用端子１２は、アダプタ２を介して外部機器から電力を受け取るために用いられるピン（電極）である充電ピンＰｎ１およびＰｎ４と、通信データの送受信のために用いられるピンである通信ピンＰｎ２およびＰｎ３を備えている。本実施形態では、通信ピンＰｎ２および通信ピンＰｎ３が、Universal Serial Bus（ＵＳＢ）のデータ通信に用いられているＤ＋（データ＋）、Ｄ−（データ−）の信号線に接続しており、信号の転送が、２本の線間の差動信号として送られる構成について例示する。なお、充電用端子１２を介するデータ通信は、特に、ＵＳＢに用いられているデータ通信の方法に限定されない。
【０１２８】
図１１の（ｃ）は、本実施形態に係るアダプタ２が備えている端末用端子２２の一例を示す図である。端末用端子２２は電力を携帯端末１に供給するために用いられるピン（電極）である充電ピンＰｎ１ｃおよびＰｎ４ｃを備えている。充電ピンＰｎ１ｃおよびＰｎ４ｃは、充電用端子１２の充電ピンＰｎ１およびＰｎ４に、それぞれ接続される。充電ピンＰｎ１ｃおよびＰｎ４ｃのそれぞれは、アダプタ２内にてカバー用端子２１のマイナス電極（−電極）またはプラス電極（＋電極）に電気的に接続されている。
【０１２９】
また、端末用端子２２は携帯端末１にデータを入力するため、あるいは、携帯端末１からデータを出力するための通信ピンＰｎ２ｃおよび通信ピンＰｎ３ｃを備えている。通信ピンＰｎ２ｃおよび通信ピンＰｎ３ｃは、充電用端子１２の通信ピンＰｎ２およびＰｎ３に、それぞれ接続される。通信ピンＰｎ２ｃおよび通信ピンＰｎ３ｃは、カバー用端子２１と接続している。
【０１３０】
端末用端子２２が備えている通信ピンについては上述した構成に限定されず、携帯端末１が備えているデータ通信に用いられるピンに対応したピンの種類と数と備えていればよい。
【０１３１】
カバー３が備えている外部接続端子３９は、例えば、電力を蓄電池３１に供給するために用いられるピン（電極）である充電ピンを２つ備えていてもよい。また、データ通信用の通信ピンを、例えば、２つ備えていてもよい。外部接続端子３９の通信ピンは、カバー３内にてカバー端子３２の通信ピンに接続している。
【０１３２】
（カバー用端子２１およびカバー端子３２の構成）
次に本実施形態に係るアダプタ２のカバー用端子２１およびカバー３のカバー端子３２の構成について図１１の（ｄ）を用いて説明する。図１１の（ｄ）は、本実施形態に係るアダプタ２のカバー用端子２１およびカバー３のカバー端子３２の形状の一例を示す図である。
【０１３３】
図１１の（ｄ）の左図には携帯端末１が表向きの場合のカバー用端子２１が示されており、図１１の（ｄ）の右図には携帯端末１が裏向きの場合のカバー用端子２１が示されている。
【０１３４】
図１１の（ｄ）に示すように、アダプタ２のカバー用端子２１およびカバー３のカバー端子３２は、等間隔に直線上に配置された７つの直方体の構造体から構成されている。なお、カバー用端子２１およびカバー端子３２の接続時に、真ん中の構造体は図１に示す携帯端末１の側面Ｐ１の中央に位置する。すなわち、カバー用端子２１の少なくとも１つは、携帯端末１の側面Ｐ１の中央に位置する。
【０１３５】
また、カバー用端子２１の形状は、当該カバー用端子２１の中央を通り、かつ当該カバー用端子２１が配された側面に垂直な直線を回転軸として１８０度回転したときに、回転対称となる形状であるといえる。
【０１３６】
図１１の（ｄ）に示すように、カバー端子３２においては、端から１つ目および２つ目の構造体にデータ通信用の通信ピンが配されている。
【０１３７】
端から１つ目の通信ピンは、データ＋の信号線に接続されるピンである。端から２つ目の通信ピンは、データ−の信号線に接続されるピンである。
【０１３８】
また、端から３つ目の構造体にはマイナス電極が配され、真ん中の構造体にはプラス電極が配されている。
【０１３９】
カバー用端子２１においては、端から１つ目の何れか一方の構造体にデータ＋の信号線に接続されるピンが配されている。他方の端から１つ目の構造体には通信に用いられるピンが配されておらず、対応するカバー端子３２の構造体が収まるように成形されている。
【０１４０】
また、端から２つ目の何れか一方の構造体にデータ−の信号線に接続されるピンが配されている。また、他方の端から２つ目の構造体には通信に用いられるピンが配されておらず、対応するカバー端子３２の構造体が収まるように成形されている。
【０１４１】
また、カバー用端子２１の端から３つ目の何れか一方の構造体にマイナス電極が配されている。他方の端から３つ目の構造体には電極が配されておらず、対応するカバー端子３２の構造体が収まるように成形されている。また、真ん中の構造体にはプラス電極が配されている。
【０１４２】
なお、上述したアダプタ２のカバー用端子２１およびカバー３のカバー端子３２における各ピンの配置は、本実施形態の一例である。例えば、図１１に示されているカバー３のカバー端子３２における、データ＋の信号線に接続されるピン、データ−の信号線に接続されるピン、プラス電極およびマイナス電極の配置を任意に入れ替えてもよい。その場合、カバー３のカバー端子３２における電極及びピンの配置に対応させて、アダプタ２のカバー用端子２１の電極及びピンの配置を入れ替えればよい。
【０１４３】
上記の構成によれば、アダプタ２を装着した携帯端末１を、携帯端末１の充電用端子１２が配された側面の面内方向にてアダプタ２のカバー用端子２１を中心として反転させた場合においても、カバー用端子２１の形状は反転させる前の形状と同じである。そのため、携帯端末を反転させた場合においても、カバー用端子２１をカバー３のカバー端子３２に接続することができる。
【０１４４】
また、カバー用端子２１およびカバー端子３２は、携帯端末１への電力供給用の電極および携帯端末１のデータの出入力用の通信ピンを備えているため、携帯端末１は、アダプタ２およびカバー３を介して、外部機器と通信することができる。
【０１４５】
〔まとめ〕
本発明の態様１に係るアダプタ（２、２ｂ、２ｃ）は、携帯端末（１）に装着される充電機能を有するカバー（３、３ｂ）と、当該携帯端末とを電気的に接続するアダプタであって、上記携帯端末の充電用端子（１２）と接続可能な第１端子（端末用端子２２）と、上記カバーが備える充電用機器の出力端子（カバー端子３２）と接続可能な少なくとも１つの第２端子（カバー用端子２１）とを備え、上記携帯端末の、上記充電用端子が配された側面（Ｐ１）に上記アダプタが装着された状態において、上記第１端子は上記充電用端子と接続され、上記第２端子の少なくとも１つは、上記側面の中央に位置する。
【０１４６】
上記の構成によれば、携帯端末の充電用端子が配された側面に上記アダプタが装着された状態において、第１端子は充電用端子と接続され、第２端子の少なくとも１つは、上記側面の中央に位置する。したがって、当該状態において、携帯端末を携帯端末の充電用端子が配された側面の面内方向にて第２端子の少なくとも１つを中心として反転させた場合においても、第２端子の少なくとも１つは携帯端末の側面の中央に位置する。よって、携帯端末を充電機能を有するカバーに格納時に、携帯端末を反転させた場合においても、第２端子の少なくとも１つの位置は携帯端末を反転させる前の位置と変わらない。そのため、携帯端末を反転させた場合においても、第２端子を充電用機器の出力端子に接続することができる。
【０１４７】
本発明の態様２に係るアダプタは、上記態様１において、上記第２端子の形状は、当該第２端子の中央を通り、かつ当該第２端子が配された側面に垂直な直線を回転軸として１８０度回転したときに、回転対称となる形状であってもよい。
【０１４８】
上記の構成によれば、携帯端末を携帯端末の充電用端子が配された側面の面内方向にて第２端子を中心として反転させた場合においても、第２端子の形状は反転させる前の形状と同じである。そのため、携帯端末を反転させた場合においても、第２端子を充電用機器の出力端子に接続することができる。
【０１４９】
本発明の態様３に係るアダプタ（２ｂ）は、上記態様１または２において、上記第２端子は、該第２端子が配された上記アダプタの側面の、当該側面の中央から離間した位置に配されていてもよい。
【０１５０】
上記の構成によれば、上記第２端子の設置位置を、該端子を備えているアダプタの側面の中央から離間した位置とすることができる。したがって、アダプタの形状の自由度を高めることができる。
【０１５１】
本発明の態様４に係るアダプタ（２ｃ）は、上記態様１から３において、上記充電用端子が配された、上記携帯端末の側面の形状と、上記第１端子が配された、上記アダプタの側面の形状とは、互いに同じであってもよい。
【０１５２】
上記の構成によれば、携帯端末とアダプタとを接続した状態において接続面が一致する。したがって、携帯端末とアダプタとを接続することにより凹凸の形状が生じることはない。よって、アダプタを接続した携帯端末をカバーに収納する時に容易に収納することができる。
【０１５３】
本発明の態様５に係るアダプタ（２、２ｂ、２ｃ）は、上記態様１から４において、上記携帯端末と機械的に接続して、当該携帯端末に上記アダプタを固定する固定部材を備えていてもよい。
【０１５４】
上記の構成によれば、アダプタと携帯端末とが固定される。したがって、アダプタを装着させた状態で携帯端末を取り扱うことができる。
【０１５５】
本発明の態様６に係るカバー（３、３ｂ）は、上記態様１から５に記載のアダプタと電気的に接続された携帯端末に装着される、充電用機器を有するカバーであって、上記充電用機器は、上記アダプタの上記第２端子と接続可能な上記出力端子を備え、上記アダプタが装着された上記携帯端末に、上記カバーが装着された状態において、上記出力端子は、上記携帯端末の、上記充電用端子が配された側面の中央に位置する。
【０１５６】
上記の構成によれば、出力端子は、上記携帯端末の、上記充電用端子が配された側面の中央の位置に位置する。したがって、第２端子および出力端子は共に携帯端末の、充電用端子が配された側面の中央に位置することとなる。したがって、携帯端末を反転させた場合においても、第２端子および出力端子を接続することができる。
【０１５７】
本発明の態様７に係るカバーは、上記態様６において、上記出力端子の形状は、上記第２端子を嵌合可能な形状であってもよい。
【０１５８】
上記の構成によれば、第２端子および出力端子が嵌合可能となる。
【０１５９】
本発明の態様８に係るカバーは、上記態様６または７において、上記アダプタが装着された上記携帯端末に、上記カバーが装着された状態において、上記カバーから上記携帯端末が落下することを防止する落下防止部材（蓋３ａ）を備えていてもよい。
【０１６０】
上記の構成によれば、上記カバーから上記携帯端末が落下することを防止することができる。
【０１６１】
本発明の態様９に係るカバー（３ｂ）は、上記態様６から８において、上記充電用機器として太陽電池（３８）を備えていてもよい。
【０１６２】
上記の構成によれば、充電用機器の蓄電池を充電する必要がない。また、太陽電池と蓄電池との組み合わせを利用することによって、太陽電池から得られた電力を蓄電池で溜めて、携帯端末の内蔵バッテリーを充電することができる。
【０１６３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１６４】
本発明は、充電式電池をバッテリーとして備えている電子機器のアダプタおよびカバーに利用することができる。
【符号の説明】
【０１６５】
１              携帯端末
２、２ｂ、２ｃ  アダプタ
３、３ｂ        カバー
３ａ            蓋（落下防止部材）
１２            充電用端子
２１            カバー用端子（第２端子）
２２            端末用端子（第１端子）
３２            カバー端子（出力端子）
３８            太陽電池
Ｐ１            側面
【図１】
2016116375.tif 000003
【図２】
2016116375.tif 000004
【図３】
2016116375.tif 000005
【図４】
2016116375.tif 000006
【図５】
2016116375.tif 000007
【図６】
2016116375.tif 000008
【図７】
2016116375.tif 000009
【図８】
2016116375.tif 000010
【図９】
2016116375.tif 000011
【図１０】
2016116375.tif 000012
【図１１】
2016116375.tif 000013
【図１２】
2016116375.tif 000014
【図１３】
2016116375.tif 000015